(57)【特許請求の範囲】
【請求項１】
導光板の一側に配置される線状光源をランプハウスに保持した光源ユニットを備え、前記光源ユニットをケースの裏側から装着し、前記光源ユニット装着後の前記ケースに前記導光板をケースの表側から装着する構成としたバックライト装置において、ケースの裏面に位置決め用のピンを形成し、断面コの字状の前記ランプハウスにこのピンを受け入れる位置決め用の孔を形成したことを特徴とするバックライト装置。
【請求項２】
前記位置決め用のピンと孔は線状光源の両端近傍に形成したことを特徴とする請求項１記載のバックライト装置。
【請求項３】
導光板の一側に配置される線状光源をランプハウスに保持した光源ユニットを備え、前記光源ユニットをケースの裏側から装着する構成としたバックライト装置において、前記線状光源の一対のリード線を互いに間隔を置いて前記光源ユニットの一方の端から引き出すとともに、前記一対のリード線の間隔部分と対応した島状部を前記ケースに形成し、前記島状部にはピンを突出して形成し、このピンを受け入れる孔を前記光源ユニットに形成したたことを特徴とするバックライト装置。
【発明の詳細な説明】
【産業上の利用分野】
本発明はバックライト装置とそれを備える表示装置に関する。
【従来の技術】
従来、液晶表示装置に代表される透過型の表示装置においては、裏面の全面、もしくはバックライト用の光源近傍のみを覆うように金属製の裏板を装着するのが一般的であるが、装置への薄型化、軽量化の要求を実現しようとする場合は、前記裏板を廃止することが有効な手段の１つに成り得る。このように裏板を廃止する場合、裏板が果たしていた外観部品としての機能をランプハウスに持たせることが考えられる。ランプハウスを外観部品として構成する場合は、ランプハウスの長さを装置の幅と同じ程度に延長する必要が有る。このようにランプハウスの両端部分の長さが長くなると、ランプハウスをケースの裏側からケースの所定位置に装着する際、ランプハウスに保持した線状光源のホルダやリード線がランプハウスに隠れて見えなくなり、組立て作業に支障を来すという問題が発生することが判明した。
【発明が解決しようとする課題】
そこで本発明は、装置の薄型化、軽量化に適した構造を提供することを課題の1つとする。また、装置の組立作業性を高めることを課題の1つとする。また、装置の外観を良好にすることを課題の1つとする。
【課題を解決するための手段】
本発明のバックライト装置は請求項１に記載のように、導光板の一側に配置される線状光源をランプハウスに保持した光源ユニットを備え、前記光源ユニットをケースの裏側から装着し、前記光源ユニット装着後の前記ケースに前記導光板をケースの表側から装着する構成としたバックライト装置において、ケースの裏面に位置決め用のピンを形成し、断面コの字状の前記ランプハウスにこのピンを受け入れる位置決め用の孔を形成したことを特徴とする。
本発明のバックライト装置は請求項２に記載のように、請求項１記載のバックライト装置において、前記位置決め用のピンと孔は線状光源の両端近傍に形成したことを特徴とする。
本発明のバックライト装置は請求項３に記載のように、導光板の一側に配置される線状光源をランプハウスに保持した光源ユニットを備え、前記光源ユニットをケースの裏側から装着する構成としたバックライト装置において、前記線状光源の一対のリード線を互いに間隔を置いて前記光源ユニットの一方の端から引き出すとともに、前記一対のリード線の間隔部分と対応した島状部を前記ケースに形成し、前記島状部にはピンを突出して形成し、このピンを受け入れる孔を前記光源ユニットに形成したたことを特徴とする。
【発明の実施の形態】
以下本発明の実施例について、バックライト装置を内臓した透過型の液晶表示装置を例にとって説明する。初めに、図１、２を参照して液晶表示装置１の全般的な構成について説明し、その後で、図３〜図７を参照してバックライト装置の詳細な説明を行なう。尚、本発明はバックライト装置を備える他の表示装置にも適用することができる。図1は液晶表示装置１の裏面図、図2は、図1にＩ−Ｉとして示す部分に沿った断面図である。これらの図に示すように、液晶表示装置１は、ケース２と前面枠３の間に、バックライト装置４と液晶表示パネル５を積層して配置した構成としている。前記ケース２は樹脂製で、液晶表示装置１の外郭に沿った額縁状の輪郭を成す外周枠部分と、バックライト装置４や回路基板等を装着するための中央枠部分とを備えている。前面枠３は金属製で、断面Ｌ字状のアングル部分を液晶表示装置１の外郭に沿って額縁状に配置した構成としている。前記バックライト装置４は、断面コ字状部分を備えるランプハウス６に線状光源７を保持するとともに、このランプハウス６を前記線状光源７が導光板８の光入射面９に対面するように前記光入射面９を挟み込んだ状態で前記導光板８に装着して構成している。ランプハウス６は、所定の長さを有する板金製で、液晶表示装置１の１つの辺、この例では長辺に沿って配置されている。線状光源７は、冷陰極管などで構成され、その両端に設けたランプホルダ１０をランプハウス６の両端部分に挟み込むようにして保持することにより、ランプハウス６に一体的に保持している。ランプホルダ１０は、ゴムなどの絶縁性弾性部材で構成している。線状光源７の配線の一部はフレキシブル基板１１とされ、接着部材、例えば両面接着テープ１２によってランプハウス６の背面に固定している。導光板８は、液晶表示装置１の平面形状よりも若干小さく、液晶表示パネル５と同等の平面形状を有するアクリル板などで構成され、必要に応じてその表面に光拡散シートなどの所定数の光学シート１３を配置し、裏面に反射シート１４を配置している。液晶表示装置１の裏面には、図1に示すように従来設けていた裏板を設けていないので、バックライト装置４の裏面がケース２の隙間部分から露出している。尚、図1において、１５はケース３の裏側に折り曲げて配置した回路基板、１６はケース３の表側に保持した回路基板、１７は回路基板１５を覆う保護シートである。また、ランプハウス６は、図１に示すようにその後側の面が液晶表示装置１の裏面から露出するので、外観部品として構成される。上記のように、この液晶表示装置１は、従来設けていた裏板を配置していないとともに、ランプハウス６として強度的に不十分な板金製のものを用いているので、線状光源７の周辺部分の補強を行なう必要が有る。そこで、個々では強度的に不十分な部品を相互に貼付して固定することによって、ランプハウス６周辺部分の強度を増し、曲げ剛性、耐衝撃強度の増強を行なっている。まず、ランプハウス６と前面枠３の外面に跨るように、ランプハウス６の略全長わたって補強テープ１８を貼付している。このように、補強テープ１８を貼付することにより、ランプハウス６と前面枠３をその間にケース２の側面を挟み込んだ状態で確実に固定することができ、ラ���プハウス６周辺の強度を高めると同時に、塵埃の侵入を防止することができる。また、前面枠３を装着するために、ケース２の側面適所には突起部１９が離散的に複数個形成され、前面枠３には前記突起部１９と係合するフック部２０を設けているが、これら突起部１９とフック部２０の係合個所を覆うように、前記補強テープ１８を貼り付けている。このようにランプハウス６の底面と前面枠３の側面を補強テープ１８を貼付して覆うことにより、強度増加以外にも、外観形状を良好にすることができるとともに、係合個所やその周辺の隙間を通って塵や埃が内部に入り込むこと未然に防止することができる。さらに、ランプハウス６とケース２を、ランプハウス６の略全長に亙って接着部材、この例では両面接着テープ２１を用いて互いに貼付することにより、強度増加を図っている。ここで、ランプハウス６の装着がケース２の裏側から表向きに、すなわち下から上への移動を伴って行われるので、ランプハウス６は、その上面がケース２に両面接着テープ２１で固定されることになる。それに対応して、ケース２の一部、すなわち、ランプハウス６が固定される部分の断面形状を逆Ｌ字形状としている。さらに、ケース２の前記断面逆L字状部分と液晶表示パネル５の縁とを前面枠３の裏面に接着部材、この例では両面接着テープ２２を用いて貼り付けることにより、強度増加を図っている。上記のように、比較的強度の弱い部品を相互に固定することにより、強度増加、特に、曲げ剛性、耐衝撃強度の増強を図ることができる。特に、薄型化に適した板金製のランプハウス６を用いる場合において、その周辺部分の強度を高めることができるので、装置の薄型化、軽量化を図ることができる。次に、図３〜図７を参照してバックライト装置４の詳細について以下説明を行なう。ここで、図３はランプハウス６に線状光源７とその関連部品を組み込んだユニット（以下光源ユニット２３）の平面図、図４はランプハウス６の平面図、図５は線状光源７とその関連部品の一部破断平面図、図６は、ケース２に光源ユニット２３を組み込んだ状態でランプハウス６を透視した状態の要部底面図、図７はケース２の要部底面図である。光源ユニット２３は、板金製のランプハウス６に線状光源７を保持することにより図３に示すような平面形状をしている。ランプハウス６の平面形状は図４に示す通りであり、主板６ａの両端に取付部６ｂ，６ｃを備え、その間の一側端を折り曲げることにより断面コ字状の部分６ｄを形成している。これらの図に示すように、ランプハウス６は、裏板に代わって外観部品を構成するために、その両端の取付部６ｂ、６ｃが断面コ字状部分６ｄの両側に延長された形態をとることにより、表示装置１の一辺と同じ程度の長さに形成されている。線状光源７と関連部品の配置は、図５に示す通りである。線状光源７に電源供給する一対のリード線７ａ，７ｂをランプハウス６の一方の端から引き出すために、配線の一部は上述のようにフレキシブル基板１１を介して線状光源７の一方の端まで延長されている。このフレキシブル基板１１に接続した第１のリード線（低電圧側）７ａは、線状光源７の長手方向と同方向に引き出している。線状光源７の一方の端に接続した第２のリード線（高電圧側）７ｂは、ゴム製のランプホルダ１０に形成したエルボ構造１０ａによって線状光源７の長手方向と直交する方向に一旦引き出しが行われた後、略直角に折り曲げられる初期引き出しが行われて第１のリード線７ａと同方向に引き出されている。この第１、第２のリード線７ａ，７ｂの基部は、チューブ２４ａ，２４ｂによって被覆されている。このチューブ２４ａ，２４ｂは、熱を加えることによって収縮成形される熱収縮性の絶縁チューブで、リード線７ａ，７ｂの端部初期形状の成形、並びに絶縁を行なう２つの機能を兼ねている。さらにチューブ２４ａ，２４ｂは、板金製ランプハウス６のエッジによってリード線７ａ，７ｂが傷つかないように、その端がランプハウス６よりも外側に位置する長さに設定されている。そして、前記チューブを熱収縮させる際に、例えば図５に示すような形状と対応した型の中にリード線７ａ，７ｂと収縮前のチューブ２４ａ，２４ｂを配置して加熱することにより、第１、第２のリード線７ａ，７ｂの基部形状を所望の形状に成形保持することができる。光源ユニット２３は、ケース２の裏側から位置決めして配置される。ここで、ケース２の裏側には、図７に示すように、線状光源、ランプホルダ、リード線を収納する溝状の収納部２５が形成されている。リード線７ａ，７ｂの基部及びランプホルダ１０を収納する溝は、図７に示すように、図５に示すリード線形状に対応して、線状光源収納部２５ａの延長線上に位置する第１の溝部２５ｂと、これから分岐したＬ字状の第２の溝部２５ｃを備えている。これらの溝部２５ｂ，２５ｃの間には、リード線７ａ，７ｂがその引き出し方向に引っ張られることによってランプホルダ１０や線状光源７がランプハウス６から外れて抜け出すのを防止するための島状部２６が形成されている。線状光源７の両端の近傍には、一対の位置決め用のピン２７ａ，２７ｂとこれに対応した透孔２８ａ、２８ｂを配置している。一方のピン２７ａは、前記島状部２６に突出させて形成している。これらのピン２７ａ、２７ｂの近傍には、ランプハウス６をネジ止めするための孔２９ａ、２９ｂを形成している。もう一方のピン２７ｂは、ピン２７ａが設けられた側とは反対側の線状光源７の端の近傍に位置させてケース２の裏側に配置している。透孔２８ａ，２８ｂは、光源ユニット２３の装着時に、前記ピン２７ａ，２７ｂの位置を確認しながら装着することができるように、ランプハウス６の主板６ａに位置決めして形成している。上下（表裏）反転させて配置したケース２に光源ユニット２３を上下反転させて装着する際、線状光源７のホルダ１０やリード線７ａ，７ｂの基部がランプハウス６によって覆われて見えなくなるが、前記のように、リード線７ａ，７ｂの基部がチューブ２４ａ，２４ｂによって被覆されしかも所定形状に成形されているので、何ら処理が施されていない場合に比べて、ケース２の収納部２５に収納する際の作業性を高めることができる。また、ケース２の裏側にピン２７ａ、２７ｂを突出させ、これに対応してランプハウスにピン貫通用の孔２８ａ，２８ｂを形成しているので、上記のようにランプハウス６がブラインドになる場合でも両者の位置決めを正確に行なうことができる。特に、リード線が２本あって位置決めが難しい側の端においては、位置決め用のピン２７ａをリード線が分岐する島状部２６に形成しているので、光源ユニット２３と対面して位置する溝部２５ｂ，２５ｃにリード線７ａ，７ｂを配置する際の位置決めが非常に容易になる。光源ユニット２３の位置決め配置が終わると、ネジ３１、３１を孔２９ａ．２９ｂ，３０ａ，３０ｂに螺合して光源ユニット２３の固定を行ない、固定が終わると、導光板８と反射シート１４をケース２の表側から装着する。ここで、導光板８と反射シート１４の一端はランプハウス６の断面コ字状部分６ｄに挿入される。導光板８の装着が終わると、その上に光学シート１３、液晶表示パネル５を順次積層配置した後、その上から被せるように前面枠３を装着する。前面枠３は、その側面適所に形成したフック部２０をケース２の突起部１９に係合させることによって固定される。その後、必要に応じて、補強テープ１８が貼付される。
【発明の効果】
以上のように本発明によれば、装置の薄型化、軽量化に適した構造を提供することができる。また、装置の組立作業性を高めることができる。また、装置の外観を良好にすることができる。
【図面の簡単な説明】
【図１】本発明の一実施例の液晶表示装置の裏面図である。
【図２】図１のＩ−Ｉ部分に沿った部分の断面図である。
【図３】光源ユニット２３の平面図である。
【図４】ランプハウス６の平面図である。
【図５】線状光源７とその関連部品の一部破断平面図である。
【図６】一部を透視した状態の要部底面図である。
【図７】ケース２の要部底面図である。
【符号の説明】
１液晶表示装置
２ケース
３前面枠
４バックライト装置
５液晶表示パネル
６ランプハウス
２３光源ユニット
２７ピン
２８孔
【図１】
0003851036.tif 000002
【図２】
0003851036.tif 000003
【図３】
0003851036.tif 000004
【図４】
0003851036.tif 000005
【図５】
0003851036.tif 000006
【図６】
0003851036.tif 000007
【図７】
0003851036.tif 000008